(57)【要約】【課題】機器本体を取り付けるための機器ベースを、天井板材や壁面板材などの被設置板材に簡単に取り付ける。【解決手段】装置ベース３の収納部３Ｄは、天井板材Ｓの外側に配置される環状のフランジ部３Ａと、フランジ部３Ａの内周縁側に連接され貫通穴Ｓを貫通して内側に延びる収納部３Ｄとを有する。この収納部３Ｄの上面壁部３Ｃに対し、天井板材Ｓの外側から内側に向けて貫通する２つのねじ棒部材３２が設けられ、ねじ棒部材３２のねじ部には、取付部材３１の水平板部３１Ａの一端部が螺合される。この水平板部３１Ａの他端部にはフランジ部３Ａ側に向けて側面壁部３Ｂと平行に延びる鉛直柱部３１Ｂとが連接されている。装置ベース３のフランジ部３Ａと取付部材３１の鉛直柱部３１Ｂの下端との間で天井板材Ｓを挟持することで、天井板材Ｓに装置ベース３が取り付けられる。【選択図】  図５
2010093367.tif 000002
【特許請求の範囲】
【請求項１】
中空の収納部を有する機器ベースの前記収納部内に機器本体を挿入して取り付けられる電子機器の機器ベース取付構造であって、
天井板材や壁面板材などの被設置板材の貫通穴に対し前記機器ベースが取り付けられ、
前記機器ベースの収納部は、前記被設置板材の外側に配置される環状のフランジ部と、前記フランジ部の内周縁側に連接され前記貫通穴を貫通して内側に延びる筒状の側面壁部と、前記側面壁部の上側に設けられる上面壁部とを有し、前記上面壁部に対し、前記被設置板材の外側から内側に向けて貫通する少なくとも２つのねじ棒部材が設けられ、前記各ねじ棒部材のねじ部には、取付部材が螺合されてなり、
前記各取付部材は、前記ねじ棒部材のねじ部が一端部に螺合される水平板部と、この水平板部の他端部に連接され前記フランジ部側に向けて前記側面壁部と平行に延びる鉛直柱部とを備え、
前記各取付部材の鉛直柱部の下端とフランジ部との間で前記被設置板材を挟持することで、前記被設置板材に前記機器ベースが取り付けられていることを特徴とする電子機器の機器ベース取付構造。
【請求項２】
前記収納部の上面壁部には、前記取付部材に接触して前記取付部材の回転を規制する規制部が、前記フランジ部とは反対側に向けて設けられていることを特徴とする請求項１記載の電子機器の機器ベース取付構造。
【請求項３】
前記水平板部は、前記ねじ棒部材が螺合される部分に可動ボス部が形成されていることを特徴とする請求項１または２記載の電子機器の機器ベース取付構造。
【請求項４】
前記収納部の上面壁部は、前記ねじ棒部材が挿通される部分に固定ボス部が形成されていることを特徴とする請求項１〜３のいずれかに記載の電子機器の機器ベース取付構造。
【発明の詳細な説明】
【技術分野】
【０００１】
本発明は、アンテナ装置などの電子機器の機器ベース取付構造に関するものである。
【背景技術】
【０００２】
従来、アンテナ装置などの電子機器は、取り付け作業や取り外し作業における作業性の向上及び安全性の向上を図ることを目的として、引っかけ手段でアンテナベースにアンテナ本体を引っかけた上で、ねじによりアンテナ本体をアンテナベースに固定するようにしたものは知られている（例えば特許文献１参照）。
【０００３】
また、アンテナ本体とアンテナカバーとに、互いに螺合する螺合部を形成し、アンテナ本体とアンテナカバーとで天井面や壁面などの造営面を挟み込んだ状態で互いの螺合部を螺合させていくことにより、アンテナ本体とアンテナカバーとを造営面に取り付けるようにしたものも知られている（例えば特許文献２参照）。
【０００４】
さらに、天井面などの設置面に固定されたベースの下面に係止片を設ける一方、カバーの上面となる接地板に引掛金具を設け、前記係止片に前記引掛金具を着脱可能に係合することで、ベースにアンテナ本体を取り付けるようにすることも知られている（例えば特許文献３参照）。
【特許文献１】特開平９−２３８０１１号公報（段落０００８）
【特許文献２】特開平８−３３０８２２号公報（段落００２５）
【発明の開示】
【発明が解決しようとする課題】
【０００５】
特許文献１や特許文献２に記載のものは、ベースを設置面にねじにて直接固定する構造であるため、取り付け作業が煩雑である。つまり、ベースを持ちつつ、ねじにて固定しなければならず、作業者一人による作業では困難である。
【０００６】
この発明は、電子機器の機器本体を取り付けるための機器ベースを、天井板材や壁面板材などの被設置板材に、作業者一人でも簡単に取り付けることができる電子機器の機器ベース取付構造を提供する。
【課題を解決するための手段】
【０００７】
請求項１の発明は、中空の収納部を有する機器ベースの前記収納部内に機器本体を挿入して取り付けられる電子機器の機器ベース取付構造であって、天井板材や壁面板材などの被設置板材の貫通穴に対し前記機器ベースが取り付けられ、前記機器ベースの収納部は、前記被設置板材の外側に配置される環状のフランジ部と、前記フランジ部の内周縁側に連接され前記貫通穴を貫通して内側に延びる筒状の側面壁部と、前記側面壁部の上側に設けられる上面壁部とを有し、前記上面壁部に対し、前記被設置板材の外側から内側に向けて貫通する少なくとも２つのねじ棒部材が設けられ、前記各ねじ棒部材のねじ部には、取付部材が螺合されてなり、前記各取付部材は、前記ねじ棒部材のねじ部が一端部に螺合される水平板部と、この水平板部の他端部に連接され前記フランジ部側に向けて前記側面壁部と平行に延びる鉛直柱部とを備え、前記各取付部材の鉛直柱部の下端とフランジ部との間で前記被設置板材を挟持することで、前記被設置板材に前記機器ベースが取り付けられていることを特徴とする。ここで、ねじ棒部材や取付部材は、少なくとも２つあればよいが、前記電子機器の大きさに応じて、それぞれ３つ以上とすることも可能である。
【０００８】
このようにすれば、少なくとも２つの取付部材を機器ベースに設けることで、被設置板材の貫通穴に機器ベースの収納部を挿入して、一人の作業者が機器ベースを把持しつつねじ棒部材を回転させることにより各取付部材の鉛直柱部をフランジ部上に移動させ、その移動した位置において、各取付部材が回転しないようにした状態でねじ棒部材をさらに回転することで、前記各取付部材のフランジ部と鉛直柱部の下端との間で前記被設置板材を挟持させ、前記被設置板材に前記機器ベースを簡単に取り付けることができる。ここで、各取付部材が回転しないようにした状態とするのは、作業者が手あるいは工具を用いて回転しないように規制する場合と、取付部材の一部が機器ベースの一部に接触することで回転しないように規制する場合とが含まれる。
【０００９】
前記取付部材のフランジ部と鉛直柱部の下端との間で前記被設置板材を挟持することで取り付けるようにしているので、被設置板材の板厚にかかわりなく、作業者一人でも簡単に取り付けることができ、被設置板材の外側には、フランジ部と機器本体とが見えるだけになるので、外観（露出部分）の見栄えにも優れる。
【００１０】
請求項２に記載のように、前記収納部の上面壁部には、前記取付部材に接触して前記取付部材の回転を規制する規制部が、前記フランジ部とは反対側に向けて設けられていることが望ましい。
【００１１】
このようにすれば、ねじ棒部材の回転で、取付部材の鉛直柱部をフランジ部上に対向する位置に移動すると、取付部材の一部が規制部に接触し、それ以上の回転が規制され、その位置に保持される。そして、さらにねじ棒部材を回転することで、前記取付部材がフランジ部側に移動し、最終的にフランジ部と鉛直柱部の下端との間で前記被設置板材を挟持することになる。よって、収納部の上面壁部に規制部を設けることで、ねじ棒部材を回転するだけで、取付部材の鉛直柱部をフランジ部上に対向する位置に移動させ、その位置に保持することができる。
【００１２】
請求項３に記載のように、前記水平板部は、前記ねじ棒部材が螺合される部分に可動ボス部が形成されていることが望ましい。
【００１３】
このようにすれば、水平板部だけに雌ねじ部を形成する場合よりも、可動ボス部を設けることで雌ねじ部の長さが長くなるので、取付部材が移動している際の、螺合している部分の長さが長くなり、安定した移動が実現される。
【００１４】
請求項４に記載のように、前記収納部の上面壁部は、前記ねじ棒部材が挿通される部分に固定ボス部が形成されていることが望ましい。
【００１５】
このようにすれば、収納部の上面壁部に固定ボス部を設けることで、取付部材が移動している際の、ねじ棒部材が係合（挿通）する部分の割合が増し、安定した取付部材の移動が実現される。
【発明の効果】
【００１６】
本発明は、上記のように構成したから、ねじ棒部材の回転により移動可能である少なくとも２つの取付部材を機器ベースに設けることで、被設置板材の貫通穴に収納部を挿入して、取付部材の鉛直柱部をフランジ部上に位置にさせ、その位置に保持した状態でねじ棒部材を回転することで、前記取付部材のフランジ部と鉛直柱部の下端との間で前記被設置板材を挟持し、前記被設置板材に前記機器ベースを取り付けることができる。
【発明を実施するための最良の形態】
【００１７】
以下、本発明の実施の形態を図面に沿って説明する。
【００１８】
図１は本発明の一実施の形態であるアンテナ装置（電子機器）の平面図、図２は同底面図、図３は同側面図、図４は同斜視図、図５は図１のＶ-Ｖ線における断面図である。
【００１９】
図１〜図３に示すように、アンテナ装置１（電子機器）は、アンテナ本体２（機器本体）と、このアンテナ本体２を保持する装置ベース３（機器ベース）とから構成されている。この実施の形態では、装置ベース３は、被設置板材である天井板材Ｓに対し、側面視逆Ｌ字形状の２つの取付部材３１及びねじ棒部材３２を用いて取付固定される。取付部材３１は、ねじ棒部材３２を用いて装置ベース３に取り付けられているもので、後述するように、取付部材３１と装置ベース３（フランジ部３Ａ）との間で天井板材Ｓを挟持することで、天井板材Ｓに装置ベース３が取り付けられるようになっている。
【００２０】
アンテナ本体２は、図６に示すように、中空円盤形状のケーシング１１（機器ケーシング）を有する。このケーシング１１は、円筒状の側面板部１１Ａａ及びその側面板部１１Ａａの上側部分を閉塞する上面板部１１Ａｂを有する中空の上側部材１１Ａと、側面板部１１Ａａの下側開口を閉塞する円板形状の下側部材１１Ｂとを備える。この下側部材１１Ｂは、側面板部１１Ａａの外径より大きい外径を有し、上側外周縁付近に環状の係合溝部１１Ｂａが形成されている。そして、下側部材１１Ｂの係合溝部１１Ｂａに、上側部材１１Ａの側面板部１１Ａａの下縁が嵌合され、その状態で３本のねじ１２を用いて上側部材１１Ａと下側部材１１Ｂとを一体に結合して、ケーシング１１が構成される。このケーシング１１の内部に、アンテナ素子基板１３、給電基板１４、基板ベース板１５、アース板１６、同軸ケーブル１７などの各種の電装部品が、所定の位置関係で収納されている。
【００２１】
また、側面板部１１Ａａの外周面には、周方向に細長く延びている１対の係合突部１１Ａａａ，１１Ａａａが形成されている。これら１対の係合突部１１Ａａａ，１１Ａａａは、直径方向において、対向する位置関係（すなわち１８０°角度間隔）で形成されている。上面板部１１Ａｂの上部には、同軸ケーブル１７を外部に導き出すための貫通孔１１Ａｂａが設けられている。
【００２２】
装置ベース３は、図７及び図８に示すように、いわゆるハット（帽子）形状をしており、天井板材Ｓの下側（外側）に位置する環状のフランジ部３Ａと、このフランジ部３Ａの内周縁側に連接され天井板材Ｓの貫通穴Ｓ１を貫通して上側（内側）に延びる円筒状の側面壁部３Ｂと、この側面壁部３Ｂの上端（上側）に設けられる上面壁部３Ｃとを有する。この側面壁部３Ｂと上面壁部３Ｃとによって、ケーシング１１（アンテナ本体２）の上側部材１１Ａの部分を収納する収納部３Ｄが構成されている。
【００２３】
なお、この収納部３Ｄの上面壁部３Ｃには、２つのねじ棒部材３２が挿通されている。この各ねじ棒部材３２ねじ部には、上面壁部３Ｃの上側において取付部材３１が螺合されてなり、ねじ棒部材３２を回転することで取付部材３１も回転するようになっている。この取付部材３１は、ねじ棒部材３２のねじ部が一端部に螺合される水平板部３１Ａと、この水平板部３１Ａの他端部に連接されフランジ部３Ａ側に向けて側面壁部３Ｂと平行に延びる鉛直柱部３１Ｂとを備える。この水平板部３１Ａは、ねじ棒部材３２が螺合される部分に可動ボス部３１Ａａ（雌ねじ部）が形成され、ねじ棒部材３２が螺合される部分の長さが長くなるように形成されている。
【００２４】
そして、収納部３Ｄの上面壁部３Ｃの周縁部には、取付部材３１に接触して取付部材３１の回転を規制する１対の突出片部３Ｃｃ（規制部）が、上側すなわち（フランジ部３Ａとは反対側）に突出して設けられている。なお、ねじ棒部材３２が挿通されている部分に固定ボス部３Ｃｄ（挿通孔）が直径方向において対向して形成され、ねじ棒部材３２が挿通される部分の長さ（厚さ）が長くなるように形成されている。
【００２５】
よって、ねじ棒部材３２の回転による取付部材３１の回転により、取付部材３１の一部が突出片部３Ｃｃに接触すると、取付部材３１の回転が規制され、ねじ棒部材３２の回転により取付部材３１が、回転することなく、ねじ棒部材３２の軸線方向に移動するようになっている。そして最終的には、取付部材３１の鉛直柱部３１Ｂの下端とフランジ部３Ａとの間で天井板材Ｓを挟持することで、天井板材Ｓに装置ベース３が取付固定される。
【００２６】
一方、収納部３Ｄの側面壁部３Ｂは、下縁部分付近を除き、内径が、上側部材１１Ａ（ケーシング１１）の側面板部１１Ａａの外径より少し大きく形成され、側面壁部３Ｂ内に上側部材１１Ａが無理なく、挿入あるいは収納されるようになっている。側面壁部３Ｂの下縁部分付近、つまりフランジ部３Ａとの連接部分付近には、アンテナ本体２の取り付け、取り外し作業時に、後述する弾性舌状片３Ｃａの弾性力に抗してアンテナ本体２を持ち上げる際に、下側部材１１Ｂ（ケーシング１１）の周縁部が収納される係合凹部３Ｂａが形成されている。アンテナ本体２を持ち上げて、係合凹部３Ｂａ内にアンテナ本体２を収納させた状態では、係合突部１１Ａａａは被係合穴部２１の上辺部２１Ａに当たり、規制突起部２１ｃによって規制されることなく、第１の部分２１ａから第２の部分２１ｂへ、あるいは第２の部分２１ｂから第１の部分２１ａへ移動できるようになっている。このように移動できるようにするために、図３に示す取付状態において、係合凹部３Ｂａの上面と下側部材１１Ｂの上面と間に間隔ΔＬが形成されるようにし、この間隔ΔＬが、第２の部分２１ｂの上下方向長さＨ２と規制突起部２１ｃが形成する隙間ΔＨ（図７参照）との差つまり長さ（Ｈ２−ΔＨ）よりも長くなるようにしている。
【００２７】
そして、側面壁部３Ｂに、１対の被係合穴部２１が直径方向において対向する位置関係（すなわち１８０°角度間隔）で形成されている。よって被係合穴部２１と係合突部１１Ａａａとが対応する位置関係にあり、被係合穴部２１に係合突部１１Ａａａが係脱可能に係合されるようになっている。
【００２８】
この被係合穴部２１は、上下方向長さＨ１が長い第１の部分２１ａと、この第１の部分２１ａ上側において周方向に連通して形成され上下方向長さＨ２が第１の部分２１ａよりも短い第２の部分２１ｂとを備える。第２の部分２１ｂの第１の部分２１ａ側には、第２の部分２１ｂから第１の部分２１ａへの不用意な移動を規制する規制突起部２１ｃが下辺部２１Ｂ側から上辺部２１Ａ側に向けて突出して設けられている。第１及び第２の部分２１ａ，２１ｂは、周方向長さ（幅）が係合突部１１Ａａａの周方向長さとほぼ等しく形成され、規制突起部２１ｃが形成する隙間ΔＨは、第２の部分２１ｂの上下方向長さＨ２よりも短いものの、係合突部１１Ａａａの高さＨ３とほぼ等しいか少し長くなっている。よって、被係合穴部２１の第１及び第２の部分２１ａ，２１ｂの上下方向長さＨ１，Ｈ２は、係合突部１１Ａａａの高さＨ３よりも十分大きな寸法となっている。
【００２９】
よって、被係合穴部２１は、アンテナ本体２を装置ベース３内に所定の位置まで挿入した状態で、鉛直軸を回転軸として所定角度（例えば約２０°程度）回転させることで、外れにくく取り付けることができる横穴として機能する。ここで、第１及び第２の部分２１ａ，２１ｂを形成する側面壁部３Ｂは円筒状としているが、側面板部１１Ａａとともに樹脂弾性を利用して相対回転できる多角筒状とすることも可能である。この場合、第１及び第２の部分を、それぞれ側面壁部の、隣り合う面壁部に形成し、相対回転させる力を作業者が作用させないと相対回転しないようにすることで、規制突起部２１ｃを省略することができる。
【００３０】
また、上面壁部３Ｃには、複数の弾性舌状片３Ｃａが、円周方向に等角度間隔で一体に設けられている。この各弾性舌状片３Ｃａは、基端部が上面壁部３Ｃに連接され先端部が収納部内方に延びる切り起こし状に形成され、かつ装置ベース３は合成樹脂材料で成形されていることから、弾性舌状片３Ｃａは、一定の弾性力（樹脂弾性）を有する。よってアンテナ本体２を持ち上げ、被係合穴部２１に係合突部１１Ａａａを係合させて取り付ける際に、また取り付けた後にも、弾性舌状片３Ｃａが適度にたわみながらアンテナ本体２上部（上面板部１１Ａｂ）の面と接触することで、その面に適度な圧力を上側から作用させる機能を発揮するようになっている。
【００３１】
そして、アンテナ本体２を装置ベース３に取り付けた状態では、係合突部１１Ａａａが第２の部分２１ｂに係合し、複数の弾性舌状片３Ｃａによってアンテナ本体２が装置ベース３に対しバランスよく下方に押圧された状態にあるので、規制突起部２１ｃによって、アンテナ本体２が装置ベース３に対し相対回転して係合突部１１Ａａａが第２の部分２１ｂから第１の部分２１ａに移動するのが規制される。この場合、規制突起部２１ｃが、アンテナ本体２の回転の戻り止めとして機能しているのである。
【００３２】
よって、弾性舌状片３Ｃａの先端部は、係合突部１１Ａａａが被係合穴部２１（第２の部分２１ｂ）の下辺部２１Ｂに接触している状態でも、下辺部２１Ｂ側に係合突部１１Ａａａを押し付ける付勢力を付与できるように、収納部３Ｄ内の下方に所定量だけ突出している。
【００３３】
続いて、アンテナ装置１を、天井板材Ｓに取り付ける作業について説明する。
【００３４】
まず、装置ベース３の収納部３Ｄを、天井板材Ｓの貫通穴Ｓ１（図５参照）に挿入して、フランジ部３Ａのみ天井板材Ｓの下側に位置するようにして、固定する。
【００３５】
そのためには、まず、各取付部材３１の鉛直柱部３１Ｂが収納部３Ｄの上に位置する状態として、図９〜図１１に示すように、作業者が、装置ベース３の収納部３Ｄを、天井板材Ｓの貫通穴Ｓ１内に挿入する。この挿入により、フランジ部３Ａのみ天井板材Ｓの下側に位置する状態とすることができる。
【００３６】
この状態を作業者が一方の手で保持しつつ、他方の手で工具（図示せず）を用いてねじ棒部材３２を回転すると、取付部材３１が、ねじ棒部材３２の軸線を回転軸として取付部材３１とねじ棒部材３２とが一緒に回転し、図１２及び図１３に示すように、鉛直柱部３１Ｂが収納部３Ｄ上からフランジ部３Ａ上に回転移動し、取付部材３１（鉛直柱部３１Ｂ）の一部が突出片部３Ｃｃに接触してフランジ部３Ａ上において、それ以上の回転が規制される。
【００３７】
このように、取付部材３１の回転が規制された状態で、ねじ棒部材３２の回転を続けると、取付部材３１は、そのフランジ部３Ａ上の位置を維持しつつ、回転が規制されていることでねじ棒部材３２の軸線方向に沿って下方（フランジ部３Ａ側）に変位する。そして最終的には取付部材３１の鉛直柱部３１Ｂの下端面とフランジ部３Ａの上面との間で天井板材Ｓを挟んで締め付けることになる（図３及び図５参照）。よって、作業者一人でも、装置ベース３が天井板材Ｓに簡単に取付固定される。
【００３８】
また、この場合、可動ボス部３１Ａａ（雌ねじ部）を設けることで取付部材３１とねじ棒部材３２との螺合している部分の長さが長くなり、また固定ボス部３Ｃｄ（挿通孔）を設けることでねじ棒部材３２が係合（挿通）している部分の割合が増すようにしているので、取付部材３１を移動させている際に取付部材３１やねじ棒部材３２がふらつくのが抑制される。よって、ねじ棒部材３２が鉛直方向にしっかりと支持されるので、取付時などにおいて、安定した取付部材３１の移動が実現される。
【００３９】
それから、アンテナ本体２のケーシング１１のうち下側部材１１Ｂを、作業者が一方の手で下側から保持し、アンテナ本体２の係合突部１１Ａａａが装置ベース３の被係合穴部２１に対応する位置関係になるように、装置ベース３内にアンテナ本体２を持ち上げて挿入する。
【００４０】
この状態では、係合突部１１Ａａａが被係合穴部２１の第１の部分２１ａに係合挿入されている。このとき、第１の部分２１ａは、上下方向において十分な長さ（高さ）を有するので、係合突部１１Ａａａが第１の部分２１ａに無理なく係合される。
【００４１】
この係合突部１１Ａａａが被係合穴部２１の第１の部分２１ａに持ち上げて挿入されている状態から、アンテナ本体２を鉛直軸を回転軸として、所定角度（例えば約２０°程度）回転させると、係合突部１１Ａａａが、上辺部２１Ａに沿って、規制突起部２１ｃによって規制されることなく、第２の部分２１ｂに移動することになる。第２の部分２１ｂに移動した時点で、作業者による、アンテナ本体２の持ち上げ（支持）が解除される。
【００４２】
この解除により、係合突部１１Ａａａが、第２の部分２１ｂ（被係合穴部２１）において、弾性舌状片３Ｃａの弾性力によって下方に移動し、下辺部２１Ｂ側に押し付けられる。この状態では、係合突部１１Ａａａは、規制突起部２１ｃによって第１の部分２１ａ側への移動が規制されるとともに、弾性舌状片３Ｃａによる弾性力でアンテナ本体２が下方に押圧され、係合突部１１Ａａａが第２の部分２１ｂの下辺部２１Ｂ側に押し付けられた状態が維持されるので、上下方向のがたつきも抑えられる。
【００４３】
前述したところの挿入から、係合を経て、アンテナ本体２の持ち上げ（支持）を解除するまでの持ち上げ状態では、装置ベース３の弾性舌状片３Ｃａがアンテナ本体２の上面板部１１Ａｂに弾性接触し、アンテナ本体２に対し上側から一定の圧力が作用しているので、下側部材１１Ｂを作業者は下側から軽く支持するだけで、下側部材と作業者の手との間に適度な摩擦力が作用し、作業者の手の上でアンテナ本体２の位置がずれたりすることがなく、前述した挿入動作や回転動作を簡単に行うことができ、取り付け作業性に優れる。
【００４４】
本発明は、前述した実施の形態に制限されることなく、種々の変更が可能である。例えば次のように変更することができる。
【００４５】
(i)上面壁部３Ｃの固定ボス部３Ｃｄは必要に応じて設ければよく、省略することも可能である。また、固定ボス部を設けるのに代えて、上面壁部の厚さを厚くするようにしてもよい。
【００４６】
(ii)取付部材３１に可動ボス部を設けているが、この可動ボス部を省略して、水平板部３１Ａそのものにねじ穴（雌ねじ部）を形成したり、水平板部３１Ａにナットをインサートして雌ねじ部とすることも可能である。
【００４７】
(iii)前記実施の形態では、取付部材は２つ設けているが、３つ以上でもよく、例えば３つ設ける場合には、円周方向に１２０°間隔で設けることが望ましい。
【図面の簡単な説明】
【００４８】
【図１】図１は本発明の一実施の形態であるアンテナ装置（電子機器）の平面図である。
【図２】同底面図である。
【図３】同側面図である。
【図４】同斜視図である。
【図５】図１のＶ-Ｖ線における断面図である。
【図６】アンテナ本体の斜視図である。
【図７】取付部材を取り外した状態で装置ベースを側方から見た斜視図である。
【図８】取付部材を取り外した状態で装置ベースを下側から見た斜視図である。
【図９】前記アンテナ装置を天井板材に取り付ける手順の説明図である。
【図１０】前記アンテナ装置を天井板材に取り付ける手順の説明図である。
【図１１】前記アンテナ装置を天井板材に取り付ける手順の説明図である。
【図１２】前記アンテナ装置を天井板材に取り付ける手順の説明図である。
【図１３】前記アンテナ装置を天井板材に取り付ける手順の説明図である。
【符号の説明】
【００４９】
Ｓ    天井板材
Ｓ１    貫通穴
１    アンテナ装置（電子機器）
２    アンテナ本体（機器本体）
３    装置ベース（機器ベース）
３Ａ    フランジ部
３Ｂ    側面壁部
３Ｃ    上面壁部
３Ｃｃ    突出片部（規制部）
３Ｃｄ    固定ボス部
３Ｄ    収納部
３１    取付部材
３１Ａ    水平板部
３１Ａａ    可動ボス部
３１Ｂ    鉛直柱部
３２    ねじ棒部材
【図１】
2010093367.tif 000003
【図２】
2010093367.tif 000004
【図３】
2010093367.tif 000005
【図４】
2010093367.tif 000006
【図５】
2010093367.tif 000007
【図６】
2010093367.tif 000008
【図７】
2010093367.tif 000009
【図８】
2010093367.tif 000010
【図９】
2010093367.tif 000011
【図１０】
2010093367.tif 000012
【図１１】
2010093367.tif 000013
【図１２】
2010093367.tif 000014
【図１３】
2010093367.tif 000015